(57)【要約】      （修正有）【課題】室内外及び、入浴中の浴槽内の略垂直な面、及び滑りやすい面に設置が出来て、使用出来る青竹踏み器具を提供する。【解決手段】青竹踏み器具１の下面に、平面に固定する為の吸盤Ａ又は、引掛けフック又は、ねじ又は、突起棒又は、面ファスナー又は、粘着テープ又は、磁石又は、溝又は、スリット部分を設ける事を特徴とし、それらにより浴槽内の略垂直な面、及び滑りやすい面に青竹踏み器具が保持される。【選択図】図４
0003200257.tif 000002
【実用新案登録請求の範囲】
【請求項１】
地面又は、室内外床面又は、垂直面又は、滑りやすい床面に安全に設置が出来るようにした事を特徴とした青竹踏み器具。
【請求項２】
青竹踏み器具が、水平面又は、垂直面又は、斜面又は、滑りやすい床等にも安全に設置が出来るように、青竹踏み器具に吸盤又は、引掛けフック又は、ねじ類又は、突起棒又は、面ファスナー又は、粘着テープ又は、磁石類等又は、溝又は、スリット部分等を付けて、滑り止め部品又は、留め部品又は、固定用部品又は、設置部品が着脱出来るようにした事を特徴とした青竹踏み器具。
【請求項３】
青竹踏み器具に吸盤又は、引掛けフック又は、ねじ類又は、突起棒又は、面ファスナー又は、粘着テープ又は、磁石類又は、溝又は、スリット部分等の部品又は、部位を設ける事を特徴とした青竹踏み器具。
【請求項４】
現在市場に流通している多くの合成樹脂性吸盤を流用して着脱出来るように、青竹踏み器具に複数サイズの突起棒又は、複数サイズのスリット部分を設ける事を特徴とした青竹踏み器具。
【考案の詳細な説明】
【技術分野】
【０００１】  本考案は、室内外及び、入浴中の浴槽内の略垂直な面、及び滑りやすい面に設置が出来て、使用出来る青竹踏み器具に関するものである。
【背景技術】
【０００２】  今迄の青竹踏み器具は、平面で滑りにくい床等で使用する事を考えて作られていた為に、入浴中の浴槽の略垂直面部分や、滑りやすい床面等での使用が出来なかった。
【考案の概要】
【考案が解決しようとする課題】
【０００３】  入浴中の浴槽の略垂直面部分や、滑りやすい床面等での使用が出来るようにする為に、本考案は、青竹踏み器具の下面に留め部品を着脱出来るようにする事で問題を解決しようとするものである。
【課題を解決する為の手段】
【０００４】  今迄の青竹踏み器具は、平面で滑りにくい床等で使用する事を考えて作られていた為に、青竹踏み器具の下面が略水平で、且つ滑り止めも特に付いていなかった為、考案の青竹踏み器具には吸盤や、引掛けフック等が簡単に着脱出来るようにする事で問題を解決した。
【考案の効果】
【０００５】  青竹踏みにより、足裏及び土踏まずを刺激する事が健康に良い事は、現在医師も推奨しています、そして多くの方がその効果を認めているが、慣れるまでの数ヶ月は青竹踏み中の足裏の激痛により、途中で止めてしまう方がとても多いとインターネット等にも書かれています。
又、青竹踏みは風呂上り等の血流が良い時に行うと効果が倍増する事も良く知られています、これらの事を考えて考案した青竹踏み器具を入浴槽内での時間を利用して使用したところ、温まった体で青竹踏みをした為、痛みも無く、且つ血行が一番良い状態で使用出来た為に非常に良いと実感しました。
【図面の簡単な説明】
【０００６】
【図１】本考案の合成樹脂等製「青竹踏み器具」の本体外観の正面図と、上面図、下面図、側面図です。
【図２】本考案の合成樹脂等製「青竹踏み器具」に合成樹脂製「立穴式吸盤」を取り付ける為の、本体と一体化した「突起棒」の形態と位置を示す為の本体正面透視図と、本体側面透視図です。
【図３】本考案の合成樹脂等製「青竹踏み器具」に取付ける、合成樹脂製「立穴式吸盤」の一般的な形態の正面図と、上面図、側面図です。
【図４】本考案の合成樹脂等製「青竹踏み器具」に［図３］の、合成樹脂製「立穴式吸盤」を取り付けた状態の正面図と、下面図、側面図です。
【図５】本考案の合成樹脂等製「青竹踏み器具」に、現在市場で流通している殆どの合成樹脂性吸盤の立穴サイズが、流用出来るようにする為に、３サイズの本体と一体化した「突起棒」の形態と位置を示す下面図です。
【図６】本考案の合成樹脂等製「青竹踏み器具」に、現在市場で流通している殆どの横溝式合成樹脂性吸盤の軸サイズが、流用出来るようにする為の３サイズの本体と一体化した「スリット」の形態と位置を示す下面図です。
【図７】本考案の合成樹脂等製「青竹踏み器具」に、現在市場で流通しているフックのサイズが、流用出来るようにする為の本体と一体化した「大き目のスリット」の形態と位置を示す下面図です。
【図８】「浴槽内壁面取付状態図  １」は、本考案の合成樹脂等製「青竹踏み器具」を、一般的な家庭用の和洋折衷型浴槽内壁の略垂直面の上部に設置して、標準的な体形の人が使用した側面図です。「浴槽内壁面取付状態図  ２」は、本考案の合成樹脂等製「青竹踏み器具」を、一般的な家庭用の和洋折衷型浴槽内壁の略垂直面の中間部に設置して、標準的な体形の人が使用した側面図です。
【図９】「浴槽内壁面取付状態図  ３」は、本考案の合成樹脂等製「青竹踏み器具」を、一般的な家庭用の和洋折衷型浴槽内壁の略垂直面の下部に設置して、標準的な体形の人が使用した側面図です。「浴槽内壁面取付状態図  ４」は、本考案の合成樹脂等製「青竹踏み器具」を、一般的な家庭用の和洋折衷型浴槽内壁の略水平面の底部に設置して、標準的な体形の人が使用した側面図です。
【図１０】「浴槽内底面取付状態図  Ａ」は、本考案の合成樹脂等製「青竹踏み器具」を、一般的な家庭用の和洋折衷型浴槽内壁の略水平面の底部に設置して、標準的な体形の人が、浴槽の縁に腰かけ「足湯」式に使用した側面図です。「浴槽内底面取付状態図  Ｂ」は、本考案の合成樹脂等製「青竹踏み器具」を、一般的な家庭用の和洋折衷型浴槽内壁の略水平面の底部に設置して、標準的な体形の人が、浴槽の底部に立ち「青竹踏み」をした側面図です。
【考案を実施するための形態】
【０００７】  合成樹脂等製「青竹踏み器具」を生産するのであれば、今製造中の「青竹踏み器具」の使用金型を改造し、その後も使用が出来、尚且つ現在市場で流通している立穴式合成樹脂性吸盤の立穴直径が４ｍｍ、５ｍｍ、６ｍｍ、７ｍｍサイズが最も多く、これらを流用出来るようにする為、この内の３サイズ程度の直径の「突起棒」を本体と一体成型する事、つまり［図５］が望ましいです。
【実施例】
【０００８】  実際に、この「浴槽で使用出来る青竹踏み器具」を作成し、実験をしたところ、［図８］、［図９］、［図１０］及び、浴室床面を石鹸水で濡らした状態で「浴槽で使用出来る青竹踏み器具」を立って使用したが、思い通り滑らず、又略垂直面からも落ちる事無く、「青竹踏み運動」が効率良く出来ました。
【符号の説明】
【０００９】１・「浴槽で使用出来る青竹踏み器具」の全体部分
１ｘ・３サイズの直径の「突起棒」付、合成樹脂等製「青竹踏み器具」の本体下面部
１ｙ・横溝式吸盤を使用する、合成樹脂等製「青竹踏み器具」の本体下面部
１ｚ・フックハンガーを使用する、合成樹脂等製「青竹踏み器具」の本体下面部
２・「青竹踏み」効果を上げる為の突起部分
３・立穴式吸盤を差し込む為の「突起棒」部分
３ａ・立穴式吸盤を差し込む為の「突起棒」の透視部分
３ｘ・例えば、直径７ｍｍの「突起棒」部分
３ｙ・例えば、直径６ｍｍの「突起棒」部分
３ｚ・例えば、直径５ｍｍの「突起棒」部分
Ａ・現在市場で流通している「立穴式合成樹脂性吸盤」
Ａ１・「立穴式合成樹脂性吸盤」の立穴の内径部分
Ａ２・「立穴式合成樹脂性吸盤」の立穴の外径部分
Ａ６・現在市場で流通している「横溝式合成樹脂性吸盤」
ＢＴ１・「浴槽内状態図  １」の浴槽
ＢＴ２・「浴槽内状態図  ２」の浴槽
ＢＴ３・「浴槽内状態図  ３」の浴槽
ＢＴ４・「浴槽内状態図  ４」の浴槽
ＢＴＡ・「浴槽内状態図  Ａ」の浴槽
ＢＴＢ・「浴槽内状態図  Ｂ」の浴槽
Ｃ・ここの内側が空洞部の意味
Ｃ５・３サイズの直径の「突起棒」付、合成樹脂等製「青竹踏み器具」の下側空洞部
Ｃ６・横溝式吸盤を使用する、合成樹脂等製「青竹踏み器具」の下側空洞部
Ｃ７・フックハンガーを使用する、合成樹脂等製「青竹踏み器具」の下側空洞部
Ｆ・「フックハンガー部品」
Ｐ１・「浴槽内状態図  １」の標準的な体形の人
Ｐ２・「浴槽内状態図  ２」の標準的な体形の人
Ｐ３・「浴槽内状態図  ３」の標準的な体形の人
Ｐ４・「浴槽内状態図  ４」の標準的な体形の人
ＰＡ・「浴槽内状態図  Ａ」の標準的な体形の人
ＰＢ・「浴槽内状態図  Ｂ」の標準的な体形の人
Ｓｘ・例えば、直径７ｍｍ用の「横溝」に対するスリット部分
Ｓｙ・例えば、直径６ｍｍ用の「横溝」に対するスリット部分
Ｓｚ・例えば、直径５ｍｍ用の「横溝」に対するスリット部分
Ｓ７・フックハンガーを使用する引掛け用スリット部分
【図１】
0003200257.tif 000003
【図２】
0003200257.tif 000004
【図３】
0003200257.tif 000005
【図４】
0003200257.tif 000006
【図５】
0003200257.tif 000007
【図６】
0003200257.tif 000008
【図７】
0003200257.tif 000009
【図８】
0003200257.tif 000010
【図９】
0003200257.tif 000011
【図１０】
0003200257.tif 000012
【手続補正書】
【提出日】平成27年6月24日(2015.6.24)
【手続補正１】
【補正対象書類名】実用新案登録請求の範囲
【補正対象項目名】全文
【補正方法】変更
【補正の内容】
【実用新案登録請求の範囲】
【請求項１】
青竹踏み器具の下面に、平面に固定する為の吸盤又は、引掛けフック又は、ねじ又は、突起棒又は、面ファスナー又は、粘着テープ又は、磁石又は、溝又は、スリット部分を設ける事を特徴とした青竹踏み器具。
【請求項２】
合成樹脂製吸盤を着脱出来るように、青竹踏み器具の下面に複数サイズの突起棒又は、複数サイズのスリット部分を設ける事を特徴とした青竹踏み器具。